(57)【特許請求の範囲】
【請求項１】
本体２０と、この本体２０の後端部に設けられ、本体２０よりも外方に突出し、かつ固着用孔２４が形成された装着部２３、係合部２２を有する取付体２１を備えた左右の取付ブラケット１、前記左右の取付ブラケット１に跨って取付けた上面板３、この上面板３に取付けた中間ブラケット２、この中間ブラケット２、前記左右の取付ブラケット１に跨って取付けた下面板４によって形成した開口部６を有するケース７と、
前記左右の取付ブラケット１の本体２０間に回転自在に取付けた巻取りパイプ８と、前記左右の取付ブラケット１の本体２０に取付けた折曲自在な左右のアーム９と、この左右のアーム９に跨って取付けた前枠１０と、前記巻取りパイプ８に巻掛けられると共に、前枠１０に連結したテント１１で形成した日除けユニット１２及び、建物躯体Ａに取付けられ前記取付ブラケット１の係合部２２が係合する被係合部７１を有するベースプレート１３を備え、
左右の取付ブラケット１の係合部２２がベースプレート１３の被係合部７１に係合していると共に、取付ブラケット１の装着部２３の固着用孔２４から固着具１４が建物躯体Ａに固着されるようにしたことを特徴とする日除け装置。
【請求項２】
前記日除けユニット１２は、巻取りパイプ８でテント１１を巻取ることでアーム９、前枠１０がケース７内に収納される形状で、
前記取付ブラケット１の本体２０の前端部に、上面が水平に対して斜めの下向きのガイド面であるカム突起部６５が設けられ、
前記前枠１０にはカム突起部６５に嵌まり合う凹部６４が設けてある請求項１記載の日除け装置。
【請求項３】
巻取りパイプ８とアーム９と前枠１０はほぼ水平方向に並設し、
前記中間ブラケット２の下部に下面板４の後端部が上下揺動自在に係止連結されている請求項１記載の日除け装置。
【請求項４】
左右の取付ブラケット１にサイドカバー５を後付け可能に取付けた請求項１記載の日除け装置。
【請求項５】
第１アーム５０と第２アーム５１を第１縦ピン５２で折曲自在に連結し、この第１アーム５０と第２アーム５１をスプリング５８でほぼ直線状とし、第１アーム５０にブラケット５３を第２縦ピン５４で揺動自在に連結し、第２アーム５１に取付片６０を第３縦ピン６１で揺動自在に連結してアーム９とし、
左右のアーム９のブラケット５３を左右の取付ブラケット１の本体２０に固着し、左右のアーム９の取付片６０に横枠１０を固着した請求項１記載の日除け装置。
【発明の詳細な説明】
【０００１】
【発明の属する技術分野】
本発明は、建物躯体等に取付けられる日除け装置に関する。
【０００２】
【従来の技術】
建物躯体に取付けられる第１の日除け装置としては、特開平８−１５８５６９号公報、特開平２−２１３５５５号公報、実公平７−７４６０号公報などに開示されたものが知られている。具体的には巻取りパイプ、折曲するアーム、このアームに連結した前枠、テント等を備え、このテントの一端縁に巻取りパイプに巻き掛け、そのテントの他端縁を前枠に連結し、アームが折曲することで前枠が移動してテントを張り出し、収納する日除け装置である。
【０００３】
また、自動車に取付ける第２の日除け装置としては、実公平７−２４２５５号公報、特開平７−１０１２８９号公報、実公平７−２４６１７号公報に開示されたものが知られている。具体的には巻取りパイプ、折曲するアーム、アームに連結した前枠、前枠を支持する支柱、テントを備え、そのテントの一端縁を巻取りパイプに巻掛け、そのテントの他端縁を前枠に連結し、アームを伸張すると共に、支柱を接地してテントを張り出す日除け装置である。
【０００４】
【発明が解決しようとする課題】
前者の第１の日除け装置を建物躯体に取付ける作業は大変面倒である。例えば特開平８−１５８５６９号公報に開示された日除け装置を建物躯体取付けるには、取付け現場において、取付ブラケットを建物躯体に取付け、さらに取付ブラケットにアーム支持枠を取付け、アーム支持枠に対してブラケット、巻取りドラム、テントに相当するキャンバス、折曲するアーム４、前枠に相当するキャンバス支持枠などを取付けている。このために、取付け現場での取付けが容易に行えないばかりか個々の部材をそれぞれ取付けていくため、その位置あわせなどが容易に行えないので、日除け装置の取付けが大変面倒である。
【０００５】
後者の第２の日除け装置は、各部材を組立てて日除けユニットとし、その日除けユニットを自動車に取付けるので、取付けが比較的容易であるが、風などの影響を受け易く取付けが面倒である。
例えば、特開平７−１０１２８９号公報に開示された日除け装置を自動車に取付けるには、取付けブラケットを車体に取付け、取付けブラケットの凹溝ユニット化されたケースの引掛片を配し仮固定を行い、次に、ケースの内方よりビスにより車体に本固定するものです。この場合、仮固定は容易に行えるが、本固定はアーム付きの前枠をケースから引き出した状態で本固定を行わなければならない。つまりケース内にアームなどが内蔵された状態では、これが邪魔になり固定できない。また、前述のような引き出した状態での固定操作を行った場合、前記の仮固定状態も安定に確保できないといった問題もある。つまりアームを引き出しすると、片持ち状態となり凹溝内に収まっていても外れやすくなるし、風などの外的影響を受けやすくなるから、日除け装置の取付けが面倒である。
【０００６】
そこで、本発明は前述の課題を解決できるようにした日除け装置を提供することを目的とする。
【０００７】
【課題を解決するための手段】
第１の発明は、本体２０と、この本体２０の後端部に設けられ、本体２０よりも外方に突出し、かつ固着用孔２４が形成された装着部２３、係合部２２を有する取付体２１を備えた左右の取付ブラケット１、前記左右の取付ブラケット１に跨って取付けた上面板３、この上面板３に取付けた中間ブラケット２、この中間ブラケット２、前記左右の取付ブラケット１に跨って取付けた下面板４によって形成した開口部６を有するケース７と、
前記左右の取付ブラケット１の本体２０間に回転自在に取付けた巻取りパイプ８と、前記左右の取付ブラケット１の本体２０に取付けた折曲自在な左右のアーム９と、この左右のアーム９に跨って取付けた前枠１０と、前記巻取りパイプ８に巻掛けられると共に、前枠１０に連結したテント１１で形成した日除けユニット１２及び、建物躯体Ａに取付けられ前記取付ブラケット１の係合部２２が係合する被係合部７１を有するベースプレート１３を備え、
左右の取付ブラケット１の係合部２２がベースプレート１３の被係合部７１に係合していると共に、取付ブラケット１の装着部２３の固着用孔２４から固着具１４が建物躯体Ａに固着されるようにしたことを特徴とする日除け装置である。
【０００８】
第２の発明は、第１の発明において、日除けユニット１２は、巻取りパイプ８でテント１１を巻取ることでアーム９、前枠１０がケース７内に収納される形状で、
前記取付ブラケット１の本体２０の前端部に、上面が水平に対して斜めの下向きのガイド面であるカム突起部６５が設けられ、
前記前枠１０にはカム突起部６５に嵌まり合う凹部６４が設けてある日除け装置である。
【０００９】
第３の発明は、第１の発明において、巻取りパイプ８とアーム９と前枠１０はほぼ水平方向に並設し、
前記中間ブラケット２の下部に下面板４の後端部が上下揺動自在に係止連結されている日除け装置である。
【００１０】
第４の発明は、第１の発明において、左右の取付ブラケット１にサイドカバー５を後付け可能に取付けた日除け装置である。
【００１１】
第５の発明は、第１の発明において、第１アーム５０と第２アーム５１を第１縦ピン５２で折曲自在に連結し、この第１アーム５０と第２アーム５１をスプリング５８でほぼ直線状とし、第１アーム５０にブラケット５３を第２縦ピン５４で揺動自在に連結し、第２アーム５１に取付片６０を第３縦ピン６１で揺動自在に連結してアーム９とし、
左右のアーム９のブラケット５３を左右の取付ブラケット１の本体２０に固着し、左右のアーム９の取付片６０に横枠１０を固着した日除け装置である。
【００１２】
【作    用】
第１の発明によれば、ベースプレート１３を建物躯体Ａに取付け、組み立てした日除けユニット１２の取付ブラケット１の係合部２２をベースプレート１３の被係合部７１に係合して仮固定し、取付ブラケット１の装着部２３の固着用孔２４から固着具１４を建物躯体Ａに固着して本固定することで日除け装置を建物躯体に取付けできる。
【００１３】
このようであるから、日除けユニット１２を工場などであらかじめ組み立てし、取付け現場ではベースプレート１３を取付け、日除けユニット１３を仮固定した状態で容易に本固定することができる。しかも、固着具１４は巻取りドラム８、アーム９、前枠１０と干渉しないから、アーム９、前枠１０をケース７内に収納した状態で本固定でき、本固定するときに風の影響を受けることがない。
これらが相俟って日除け装置を簡単に取付けできる。
【００１４】
第２の発明によれば、巻取りドラム８でテント１１を巻取ることで前枠１０を巻取りドラム８側に引張ると、前枠１０の凹部６４がカム突起部６５のガイド面に接して順次上方に移動しながらカム突起部６５と凹部６４が嵌まり合うので、垂れ下がっていた前枠１０を所定の高さ位置において取付ブラケット１で支持してケース７内に収納できる。
【００１５】
第３の発明によれば、下面板４を下方に揺動することでケース７の下面が開放し、巻取りドラム８、アーム９、前枠１０がケース７の下方から見る。
これによって、巻取りドラム８、アーム９、前枠１０等のケース７内部の機器を点検・修理できる。
【００１６】
第４の発明によれば、左右の取付ブラケット１をサイドキャップ５で覆って外部から見えないようにできるから見栄えの良い日除け装置となる。
【００１７】
第５の発明によれば、前枠１０を平行に移動できるし、アーム９を取付ブラケット１の本体２０に容易に取付けできる。
【００１８】
【発明の実施の形態】
図１と図２と図３に示すように、左右の取付ブラケット１と複数の中間ブラケット２と上面板３と下面板４と左右のサイドキャップ５で前部寄りに開口部６を有するケース７を形成している。なお、サイドキャップ５は取付けなくとも良い。このケース７内に巻取りパイプ８、左右一対の折曲するアーム９、一対のアーム９間に連結された前枠１０が収納されて、テント１１の一端縁を巻取りパイプ９に巻掛けると共に、テント１１の他端縁を前枠１０に連結して日除けユニット１２を形成している。
【００１９】
建物躯体Ａにベースプレート１３が取付けてあり、このベースプレート１３に左右の取付ブラケット１を仮固定すると共に、固着具１４を建物躯体Ａに固着して日除けユニット１２をベースプレート１３に取付けることで日除け装置としてある。
【００２０】
前記取付ブラケット１は図２と図４に示すように、幅狭で長尺な本体２０と、この本体２０の後端部（建物躯体側）に一体的に設けた取付体２１を有する。この取付体２１の上部には下向き鉤形状の係合部２２が幅方向に連続して一体的に設けてある。前記取付体２１は本体２０よりも外方に突出した装着部２３を有し、この装着部２３の上下に固着具１４が挿通する固着用孔２４が形成してある。
【００２１】
前記中間ブラケット２は図３と図４に示すように、幅狭薄板状の縦部２５、上横向部２６、下横向部２７でほぼコ字状で、縦部２５の上端部に下向き鉤形状の係合部２８が一体的に設けられ、下端部に鉤形状の下係止受部２９が一体的に設けてある。上横向部２６の突出端部には鉤形状の上係止受部３０が一体的に設けてあると共に、上横向部２６の縦部寄りに鉤形状の上取付部３１が一体的に設けてある。下横向部２６の突出端部に鉤形状の下取付部３２が一体的に設けてある。
【００２２】
前記上面板３は図２、図３、図４に示すように、鉤形状の係止部３３を中間ブラケット２の上係止受部３０に係止して位置決めされ、中間ブラケット２の上取付部３１にビス３４で固着されると共に、取付ブラケット１の本体２０の上面にビス３５で固着される。
【００２３】
前記下面板４は、図２、図３、図４に示すように、中間ブラケット２の下係止受部２９に上下揺動自在に係止した係止部３６を有し、取付ブラケット１の本体２０にビス３７で固着されると共に、中間ブラケット２の下取付部３２にビス３８で固着される。
【００２４】
前記サイドキャップ５は上面板３と下面板４の左右方向端部に嵌め込みされ、ホップナットリベットなどの固着具３９で上面板３、下面板４に固着され、このサイドキャップ５は日除けユニット１２を組立てた後に取付可能、つまり後付け可能である。
【００２５】
前記巻取りパイプ８の一端寄り内部には図１と図５に示すようにモータ４０がクラウン４１を介して挿入され、回転部４０ａがアダプター４２で巻取りパイプ８に固定される。モータ４０はユニバーサルブラケット４３、モータヘッド４４、ホルダー４５で一方の取付ブラケット１の本体２０の半円形凹部２０ａに固定される。巻取りパイプ８の他端部内にパイプエンド４６が取付けられ、そのパイプエンド４６が他方の取付ブラケット１に回転自在に取付られる。これによりモータ４０で巻取りドラム８が回転駆動される。
【００２６】
前記アーム９は図１と図５に示すように、第１アーム５０と第２アーム５１を第１縦ピン５２で第１アーム５０と第２アーム５１が重なり合った折り畳み状態と、第１アーム５０と第２アーム５１がほぼ一直線状となった状態とに折曲自在に連結してある。前記第１アーム５０にブラケット５３が第２縦ピン５４で揺動自在に連結してあり、このブラケット５３からボルト５５を取付ブラケット１の本体２０に形成した孔５６に挿通し、ナット５７を螺合することで第１アーム５０を第２縦ピン５４の回りに揺動自在に取付ブラケット１に連結している。前記第１アーム５０の中空部内に設けたスプリング５８が第２縦ピン５４に連結され、そのスプリング５８に索条５９が連結してあり、この索条５９が第２アーム５１に連結されて第１アーム５０と第２アーム５１はほぼ一直線状の状態となっている。
【００２７】
前記第２アーム５１に取付片６０が第３縦ピン６１で揺動自在に連結され、この取付片６０に前枠１０がボルト６２で取付てある。このようであるから、前枠１０は左右のアーム９と共にケース７内に収納される位置とケース７の開口部６より外方に突出した位置とに亘って平行移動する。
【００２８】
前記前枠１０は中空形状で、その長手方向両端部には前枠キャップ６３が嵌合して取付てある。この前枠キャップ６３には外面と内面に開口した凹部６４が形成してあり、この凹部６４が取付ブラケット１の本体２０の前端部（建物躯体と反対側）に一体的に設けたカム突起部６５に嵌まり合うようにしてある。
【００２９】
前記カム突起部６５の上面はほぼへの字形状で、連続した第１ガイド面６６と第２ガイド面６７を有している。第１ガイド面６６と第２ガイド面６７は水平に対して下向きに斜めとなり、その第１ガイド面６６の角度は第２ガイド面６７の角度よりも大きい。
【００３０】
このようであるから、巻取りパイプ８でテント１１を巻取りすると前枠１０が巻取りパイプ８側に向けて引張られ左右のアーム９が折り畳みされて前枠１０、アーム９がケース７内に収納され、前枠キャップ６３の凹部６４がカム突起部６５に嵌まり合う。
【００３１】
この時、アーム９、前枠１０の自重及びアーム９の連結部のガタ等によって前枠１０は図２に仮想線で示すように凹部６４とカム突起部６５が嵌まり合った状態よりも若干下方に垂れ下がった状態であり、前述のように前枠１０が引張られると前枠キャップ６３の凹部６４がカム突起部６５の第１ガイド面６６に接して順次持ち上げられ、第２ガイド面６７に接して前枠１０は所定の高さ位置に収納される。
【００３２】
また、巻取りパイプ８、アーム９、前枠１０はケース７内に収納された状態でほぼ水平方向に並設されているので、下面板４を下方に揺動してケース７の下面を開放することにより、巻取りパイプ８、アーム９、前枠１０等を点検・修理できる。
【００３３】
前記ベースプレート１３は図２、図３、図４に示すように、縦板状で、その上部寄りには上向鉤形片７０が一体的に設けられて被係合部７１を左右方向に連続して形成している。ベースプレート１３の左右両端寄りに上下一対の透孔７２が形成してある。
【００３４】
次に日除け装置を建物外壁に取付ける手順を説明する。
図６に示すように建物躯体Ａにベースプレート１３を固着具７３で取付ける。左右の取付ブラケット１、中間ブラケット２、上面板３、下面板４を連結してケース７を組み、そのケース７内に巻取りパイプ８、アーム９、前枠１０、テント１１等を取付けて日除けユニット１２を組み立てる。
【００３５】
図７に示すように、組み立てした日除けユニット１２の取付ブラケット１の係合部２２、中間部ブラケット２の係合部２８をベースプレート１３の被係合部７１に上から係合して日除けユニット１２を仮固定する。
日除けユニット１２を係合部をガイドとして左右に摺動することで取付ブラケット１の固着用孔２４とベースプレート１３の透孔７２を位置合わせする。
【００３６】
固着具１４を固着用孔２４、透孔７２を挿通して建物躯体Ａに固着することで日除けユニット１２を本固定する。この後に図８に示すようにサイドカバー５を日除けユニット１２の両端部に取付ける。
【００３７】
以上の実施の形態では、巻取りパイプ８をモータで回転したが手動で回転しても良い。例えば図９に示すように巻取りパイプ８にパイプエンド８０を取付け、取付ブラケット１の本体２０の半円形凹部２０ａに取付けたホルダ８１にパイプエンド８０を回転自在に支承し、そのパイプエンド８０の角軸８２をギヤボックス８３に回転自在に支承した角筒軸８４に嵌合し、このギヤボックス８３の回転フック８５をサイドキャップ５の底板５ａに形成した穴８６より下方に突出させる。この回転フック８５に回転用棒を引掛けて回転することで巻取りパイプ８を回転する。
【００３８】
【発明の効果】
請求項１に係る発明によれば、ベースプレート１３を建物躯体Ａに取付け、組み立てした日除けユニット１２の取付ブラケット１の係合部２２をベースプレート１３の被係合部７１に係合して仮固定し、取付ブラケット１の装着部２３の固着用孔２４から固着具１４を建物躯体Ａに固着して本固定することで日除け装置を建物躯体に取付できる。
【００３９】
このようであるから、日除けユニット１２を工場などであらかじめ組み立てし、取付け現場ではベースプレート１３を取付け、日除け１３を仮固定した状態で容易に本固定することができる。しかも、固着具１４は巻取りドラム８、アーム９、前枠１０と干渉しないから、アーム９、前枠１０をケース７内に収納した状態で本固定でき、本固定する時に風の影響を受けることがない。
これらが相俟って日除け装置を簡単に取付けできる。
【００４０】
請求項２に係る発明によれば、巻取りドラム８でテント１１を巻取ることで前枠１０を巻取りドラム８側に引張ると、前枠１０の凹部６４がカム突起部６５のガイド面に接して順次上方に移動しながらカム突起部６５と凹部６４が嵌まり合うので、垂れ下がっていた前枠２０を所定の高さ位置において取付ブラケット１で支持してケース７内に収納できる。
【００４１】
請求項３に係る発明によれば、下面板４を下方に揺動することでケース７の下面が開放し、巻取りドラム８、アーム９、前枠１０がケース７の下方から見える。
これによって、巻取りドラム８、アーム９、前枠１０等のケース７内部の機器を点検・修理できる。
【００４２】
請求項４に係る発明によれば、左右の取付ブラケット１をサイドキャップ５で覆って外部から見えないようにできるから見栄えの良い日除け装置となる。
【００４３】
請求項５に係る発明によれば、前枠１０を平行に移動できるし、アーム９を取付ブラケット１の本体２０に容易に取付けできる。
【図面の簡単な説明】
【図１】本発明の実施の形態を示す日除け装置の平面図である。
【図２】取付ブラケット部分の縦断面図である。
【図３】中間ブラケット部分の縦断面図である。
【図４】ケースとベースプレートの分解斜視図である。
【図５】巻取りパイプとアームの分解斜視図である。
【図６】ベースプレートの取付状態を示す斜視図である。
【図７】日除けユニットの取付けを示す斜視図である。
【図８】サイドカバーの取付けを示す側面図である。
【図９】手動式の巻取りパイプの取付け分解斜視図である。
【符号の説明】
１…取付ブラケット
２…中間ブラケット
３…上面板
４…下面板
５…サイドカバー
６…開口部
７…ケース
８…巻取りパイプ
９…アーム
１０…前枠
１１…テント
１２…日除けユニット
１３…ベースプレート
１４…固着具
２０…本体
２１…取付体
２２…係合部
２３…装着部
２４…固着用孔
２８…係合部
２９…下係止受部
３１…上取付部
３２…下取付部
５０…第１アーム
５１…第２アーム
５２…第１縦ピン
５３…ブラケット
５４…第２縦ピン
５８…スプリング
５９…索条
６０…取付片
６１…第３縦ピン
６３…前枠キャップ
６４…凹部
６５…カム突起部
６６…第１カム面
６７…第２カム面
７１…被係合部
８３…ギヤボックス
８５…回転フック部。
【図１】
0003635425.tif 000002
【図２】
0003635425.tif 000003
【図３】
0003635425.tif 000004
【図４】
0003635425.tif 000005
【図５】
0003635425.tif 000006
【図６】
0003635425.tif 000007
【図７】
0003635425.tif 000008
【図８】
0003635425.tif 000009
【図９】
0003635425.tif 000010